(57)【要約】【課題】複数の電線保持溝が狭ピッチで整列配置された場合であっても、複数の電線を各電線保持溝へ容易にセットすることができる電線セット補助冶具を提供すること。【解決手段】電線保持部１３１に複数の電線Ｗをセットする作業を補助する電線セット補助冶具１であって、電線保持部１３１の近傍かつ複数の電線Ｗの並びに沿って配置される板状ガイド基部３３と、板状ガイド基部３３から突起され、かつ根元３４ａ周辺が複数の電線Ｗの並び方向に直交する方向から視て各電線保持突起１３１ｅに重なるように突出された複数のガイド突出片３４と、を有してなる電線ガイド部３０を含み、各ガイド突出片３４は、根元３４ａが飲み込み部１３１ｇに比して下方に位置され、かつ根元３４ａでの間隔に比して上端部３４ｂでの間隔が拡大されるように、かつ上端部３４ｂが電線保持突起１３１ｅの突出上端部１３１ｆに比して上方になるように延在されてなる。【選択図】図９
2013191344.tif 000002
【特許請求の範囲】
【請求項１】
複数の電線の一部が電線取付面に整列保持されるように整列配置された複数の電線保持溝と、各電線が各電線保持溝から外れ難くするため各電線保持溝の溝面の上端の一部が上方に延在されるように突起され、かつ前記電線の並び方向に整列配置された複数の電線保持突起とを有してなり、隣合う前記電線保持突起の突出上端部が各電線の飲み込み部となる電線保持部に前記複数の電線をセットする作業を補助する電線セット補助冶具であって、
前記電線保持部の近傍かつ前記複数の電線の並び方向に沿って配置される板状ガイド基部と、
前記板状ガイド基部の上縁面から突起され、かつ根元周辺が前記複数の電線の並び方向に直交する方向から視て各電線保持突起に重なるように並んで突出された複数のガイド突出片と、
を有してなる電線ガイド部を含み、
前記複数のガイド突出片の各ガイド突出片は、
根元が前記飲み込み部に比して下方に位置されるように形成され、かつ隣のガイド突出片との間隔が根元での間隔に比して上端部での間隔が拡大されるように、かつ該上端部が前記電線保持突起の突出上端部に比して上方になるように延在されてなり、
前記各電線が前記電線保持部にセットされる場合、各電線は隣り合う前記ガイド突出片の間に挿入され、前記ガイド突出片によって前記飲み込み部までガイドされることを特徴とする電線セット補助冶具。
【請求項２】
前記電線ガイド部は、
前記電線の延在方向で前記電線保持部を間にして前記板状ガイド基部が向かい合うように対で設けられることを特徴とする請求項１に記載の電線セット補助冶具。
【請求項３】
当該電線セット補助冶具は、
前記電線保持部と、前記電線ガイド部とが位置決め固定される位置決め台をさらに有してなることを特徴とする請求項１または２に記載の電線セット補助冶具。
【請求項４】
当該電線セット補助冶具は、
前記複数の電線の張力を調整する張力調整部をさらに有してなることを特徴とする請求項１、２または３に記載の電線セット補助冶具。
【発明の詳細な説明】
【技術分野】
【０００１】
本発明は、複数の電線を電線保持部にセットする際の補助機能を有する電線セット補助冶具に関する。
【背景技術】
【０００２】
従来、複数の電線を圧接端子に圧接させる場合、複数の電線の一部を圧接端子の並ぶ方向に沿って整列させた状態で同時に圧接端子に圧接するようにしている。この場合、複数の電線の一部を整列した状態で保持する電線保持部が必要になる。この電線保持部は、例えば、複数の電線の一部が整列保持されるように電線取付面に整列配置された複数の電線保持溝と、各電線保持溝の溝面の上端の一部が上方に延在されるように突起され、かつ電線の並び方向に整列配置された複数の電線保持突起とを有してなる。このような電線保持部は、圧接端子の取り付けられるハウジング、あるいは、複数の電線を同時に圧接端子の圧接刃に押圧しながらハウジングに取り付けられる圧接カバーに設けられる（例えば、特許文献１参照）。
【０００３】
特許文献１に記載された電線圧接型コネクタは、圧接カバーに電線保持部が設けられ、各電線保持溝内に各電線を仮セットした後、圧接カバーを圧接端子が固定されたハウジングに取り付けることによって、複数の電線を同時にハウジング内の圧接端子に圧接するようにしている。あるいは、電線セット補助冶具を用いてハウジングに設けられた電線保持部の隣り合う電線保持突起の上端部によって支持される位置に各電線を仮セットし、圧接カバーをハウジングに取り付けることによって、複数の電線を同時にハウジング内の圧接端子に圧接するようにしている。
【先行技術文献】
【特許文献】
【０００４】
【特許文献１】特開２００５−３３２７９６号公報
【発明の概要】
【発明が解決しようとする課題】
【０００５】
しかしながら、特許文献１に記載されたような電線圧接型コネクタは、電線セット補助冶具がハウジングの小型化によって電線保持溝のピッチが狭くなることを考慮したものとの記載がないので、電線保持溝が狭ピッチで整列配置された場合、隣り合う電線保持突起の上端部の間隔、いわゆる飲み込み部が狭くなり、飲み込み部に各電線をセットする作業が煩雑になってしまい、結果的に複数の電線を各電線保持溝へ容易にセットすることができないという問題があった。
【０００６】
本発明は、上記に鑑みてなされたものであって、複数の電線保持溝が狭ピッチで整列配置された場合であっても、複数の電線を各電線保持溝へ容易にセットすることができる電線セット補助冶具を提供することを目的とする。
【課題を解決するための手段】
【０００７】
上述した課題を解決し、目的を達成するために、本発明の請求項１に係る電線セット補助冶具は、複数の電線の一部が電線取付面に整列保持されるように整列配置された複数の電線保持溝と、各電線が各電線保持溝から外れ難くするため各電線保持溝の溝面の上端の一部が上方に延在されるように突起され、かつ前記電線の並び方向に整列配置された複数の電線保持突起とを有してなり、隣合う前記電線保持突起の突出上端部が各電線の飲み込み部となる電線保持部に前記複数の電線をセットする作業を補助する電線セット補助冶具であって、前記電線保持部の近傍かつ前記複数の電線の並び方向に沿って配置される板状ガイド基部と、前記板状ガイド基部の上縁面から突起され、かつ根元周辺が前記複数の電線の並び方向に直交する方向から視て各電線保持突起に重なるように並んで突出された複数のガイド突出片と、を有してなる電線ガイド部を含み、前記複数のガイド突出片の各ガイド突出片は、根元が前記飲み込み部に比して下方に位置されるように形成され、かつ隣のガイド突出片との間隔が根元での間隔に比して上端部での間隔が拡大されるように、かつ該上端部が前記電線保持突起の突出上端部に比して上方になるように延在されてなり、前記各電線が前記電線保持部にセットされる場合、各電線は隣り合う前記ガイド突出片の間に挿入され、前記ガイド突出片によって前記飲み込み部までガイドされることを特徴とする。
【０００８】
また、本発明の請求項２に係る電線セット補助冶具は、上記の発明において、前記電線ガイド部は、前記電線の延在方向で前記電線保持部を間にして前記板状ガイド基部が向かい合うように対で設けられることを特徴とする。
【０００９】
また、本発明の請求項３に係る電線セット補助冶具は、上記の発明において、当該電線セット補助冶具は、前記電線保持部と、前記電線ガイド部とが位置決め固定される位置決め台をさらに有してなることを特徴とする。
【００１０】
また、本発明の請求項４に係る電線セット補助冶具は、上記の発明において、当該電線セット補助冶具は、前記複数の電線の張力を調整する張力調整部をさらに有してなることを特徴とする。
【発明の効果】
【００１１】
本発明の請求項１に係る電線セット補助冶具は、前記複数のガイド突出片の各ガイド突出片が、前記根元が前記飲み込み部に比して下方に位置されるように形成され、かつ隣のガイド突出片との間隔が根元での間隔に比して上端部での間隔が拡大されるように、かつ該上端部が前記電線保持突起の突出上端部に比して上方になるように延在されてなるので、前記飲み込み部における前記電線保持突起の並び間隔よりも前記ガイド突出片の上端部の間隔が大きくなっているので、前記各電線は隣り合う前記ガイド突出片の間に容易に挿入することができ、各電線が前記ガイド突出片によって飲み込み部まで容易にガイドされ、結果的に複数の電線保持溝が狭ピッチで整列配置された場合であっても、複数の電線を各電線保持溝へ容易にセットすることができる。
【００１２】
本発明の請求項２に係る電線セット補助冶具は、電線ガイド部が前記電線の延在方向で前記電線保持部を間にして前記板状ガイド基部が向かい合うように対で設けられるので、各電線が間隔を空けた２箇所で支持可能とされ、前記複数の電線を整列された状態でガイドし易くなり、結果的に電線セット補助冶具によって前記電線保持部に前記複数の電線をセットする作業をより容易にすることができる。
【００１３】
本発明の請求項３に係る電線セット補助冶具は、前記電線保持部と、前記電線ガイド部との位置決め作業が必要ないので、電線セット補助冶具によって前記電線保持部に前記複数の電線をセットする作業をより容易にすることができる。
【００１４】
本発明の請求項４に係る電線セット補助冶具は、前記張力調整部によって張力が調節された各電線を前記ガイド突出片によって前記飲み込み部までガイドすることができ、電線セット補助冶具によって前記電線保持部に前記複数の電線をセットする作業をより容易にすることができる。
【図面の簡単な説明】
【００１５】
【図１】図１は、本発明の実施例に係る電線セット補助冶具を用いて電線がセットされる電線ホルダーが組み込まれる車両室内照明灯の分解斜視図である。
【図２】図２は、図１に示したハウジングにレンズ、およびバスバーが組み込まれた組み立て体を電線ホルダーが組み付ける側から視た斜視図である。
【図３】図３は、図１に示した電線ホルダーの上押さえ部と下押さえ部とを重ね合わせる前の状態を示した図である。
【図４】図４は、図１に示した電線ホルダーの上押さえ部を下押さえ部と重ね合わされる側から視た図である。
【図５】図５は、図１に示した電線ホルダーの上押さえ部周辺を示した側面図である。
【図６】図６は、本発明の実施例に係る電線セット補助冶具の斜視図である。
【図７】図７は、図６に示した電線セット補助冶具に電線ホルダーをセットした状態を示した図である。
【図８】図８は、図７に示した電線ガイド部の周辺を上方から視た図である。
【図９】図９は、図７に示した電線ガイド部の周辺を側方から視た図であり、下図は、上図に電線ホルダーの隠れ線を追加した図である。
【図１０】図１０は、図９に示した複数のガイド突出片の根元を拡大した図である。
【図１１】図１１は、４本の電線を電線ホルダーにセットする手順を示した図である。
【図１２】図１２は、４本の電線を電線ホルダーにセットする手順を示した図である。
【図１３】図１３は、４本の電線を電線ホルダーにセットする手順を示した図である。
【図１４】図１４は、電線ホルダーによって一部が保持された４本の電線を圧接端子に接続させる手順を示した図である。
【図１５】図１５は、変形例１の電線セット補助冶具を示した斜視図である。
【図１６】図１６は、変形例２の電線セット補助冶具を示した斜視図である。
【発明を実施するための形態】
【００１６】
以下、図面を参照して、本発明に係る電線セット補助冶具の好適な実施例を詳細に説明する。
【実施例】
【００１７】
図１は、本発明の実施例に係る電線セット補助冶具１を用いて電線Ｗがセットされる電線ホルダー１３０が組み込まれる車両室内照明灯１００の分解斜視図である。図２は、図１に示したハウジング１４０にレンズ１１０、およびバスバー１２１が組み込まれた組み立て体を電線ホルダー１３０が組み付ける側から視た斜視図である。なお、図２中の下図は、上図の電線ホルダー組み付け部１４１周辺を拡大した図である。図３は、図１に示した電線ホルダー１３０の上押さえ部１３１と下押さえ部１３２とを重ね合わせる前の状態を示した図である。図４は、図１に示した電線ホルダー１３０の上押さえ部１３１を下押さえ部１３２と重ね合わされる側から視た図である。図５は、図１に示した電線ホルダー１３０の上押さえ部１３１周辺を示した側面図である。図６は、本発明の実施例に係る電線セット補助冶具１の斜視図である。図７は、図６に示した電線セット補助冶具１に電線ホルダー１３０をセットした状態を示した図である。図８は、図７に示した電線ガイド部の周辺を上方から視た図である。図９は、図７に示した電線ガイド部３０の周辺を側方から視た図であり、下図は、上図に電線ホルダー１３０の隠れ線を追加した図である。図１０は、図９に示した複数のガイド突出片３４の根元３４ａを拡大した図である。
【００１８】
本発明の実施例に係る電線セット補助冶具１は、例えば、車両室内照明灯１００に組み込まれる電線ホルダー１３０に電線Ｗをセットする際、その補助冶具として用いられるものである。
まず、車両室内照明灯１００の構成を説明し、その後に電線セット補助冶具１について説明する。
【００１９】
車両室内照明灯１００は、レンズ１１０と、照明機能部１２０と、車両室内照明灯１００の基部としてレンズ１１０および照明機能部１２０が組み付けられるハウジング１４０とを有してなる。
【００２０】
レンズ１１０は、光透過性の材料からなる板状部材であり、照明機能部１２０のバルブ１２３から出射された光を集光してハウジング１４０外に透過させるものである。
【００２１】
照明機能部１２０は、車両室内照明灯１００の機能部であり、バスバー１２１と、スイッチ操作部１２２と、バルブ１２３と、電線ホルダー１３０と、を有してなる。
【００２２】
バスバー１２１は、給電端子１２１ａと、各電線Ｗを接続するための圧接刃１２１ｃを有してなる４つの圧接端子１２１ｂを有してなる。
【００２３】
なお、この実施例では、電線Ｗの本数が４本であるものを例示したが、電線Ｗの本数は４本に限定されない。また、圧接端子１２１ｂについてもその数は限定されず、電線Ｗの数に応じて設けられる。
【００２４】
スイッチ操作部１２２は、バルブ１２３の点灯消灯を切替えるための操作部であり、三つのモードを切り替えるための三つのスイッチ１２２ａを有してなる。各スイッチ１２２ａは、ハウジング１４０内に収容される。このスイッチ操作部１２２は、コンタクト１２２ｂを介してバスバー１２１の給電端子１２１ａに接続されることによってバルブ１２３への通電が可能になっている。
【００２５】
電線ホルダー１３０は、ハウジング１４０に設けられた圧接端子１２１ｂに対して４本の電線Ｗの一部を圧接させるため、ハウジング１４０とは別体で４本の電線Ｗの一部を保持し、回動支持部１４１ａによって支持された回転軸１３１ａを中心として回動されながら組み付けられるものである。
より具体的には、電線ホルダー１３０は、図３−図５に示すように、上押さえ部１３１と下押さえ部１３２とが折り曲げ可能な連結部１３３を介して連結され、連結部１３３を折り曲げて上押さえ部１３１と下押さえ部１３２とで複数の電線Ｗを挟み込むことによって４本の電線Ｗが保持されるようになっている。
【００２６】
上押さえ部１３１は、電線保持部として、回転軸１３１ａと、４本の電線Ｗが保持されるように電線取付面１３１ｂに並んで形成された４つの電線保持溝１３１ｃと、各電線Ｗが各電線保持溝１３１ｃ内から外れ難くするため各電線保持溝１３１ｃの溝面１３１ｄの上端の一部が上方に延在されるように突起され、かつ電線Ｗの並び方向に整列配置された複数の電線保持突起１３１ｅとを有してなり、隣合う電線保持突起１３１ｅの突出上端部１３１ｆが各電線の飲み込み部となる。この実施例の電線ホルダーは、電線保持突起１３１ｅが電線保持溝１３１ｃの両端部で電線Ｗの並び方向に整列配置されるように設けられている。
【００２７】
回転軸１３１ａは、横断面半円状の柱状をなし、上押さえ部１３１の端部近傍に設けられる。
【００２８】
下押さえ部１３２は、連結部１３３を折り曲げて上押さえ部１３１に重ね合わせされた際、各電線保持溝１３１ｃと合わせられて各電線Ｗを挟み込むように形成されてなる複数の下押さえ側電線保持溝１３２ａと、各圧接刃１２１ｃが各電線の電線ホルダー１３０に保持された部分に圧接されるように下押さえ部１３２を貫通するように形成された圧接刃貫通部１３２ｂと、を有してなる。
【００２９】
ハウジング１４０は、電線ホルダー１３０を組み付ける部分となる電線ホルダー組み付け部１４１を有してなる。
電線ホルダー組み付け部１４１は、図２に示すように、電線ホルダー１３０の回転軸１３１ａを回動自在に支持する回動支持部１４１ａと、電線ホルダー１３０に当接されることによって電線ホルダー１３０を組み付け完了位置で固定するロック部１４１ｂと、を有してなる。
【００３０】
ここで、電線セット補助冶具１について説明する。
電線セット補助用冶具１は、図６および図７に示すように、電線ホルダー１３０の上押さえ部１３１と、後述する電線ガイド部３０とが位置決め固定される位置決め台１０と、電線Ｗの張力を調整する張力調整部２０と、４本の電線Ｗを電線ホルダー１３０の飲み込み部１３１ｇまでガイドする電線ガイド部３０とを有してなる。
【００３１】
位置決め台１０は、電線ホルダー１３０を位置決め台１０の所定位置で固定させるため、電線ホルダー１３０の外形形状に対応して形成された開口、段差等からなる電線ホルダーセット部１１を有してなる。電線ホルダー１３０は、上押さえ部１３１と下押さえ部１３２とが重ね合わされず、上押さえ部１３１の電線保持突起１３１ｅが上方に向けられた状態で後述する第一の電線ガイド部３１と、第二の電線ガイド部３２との間に固定される。
【００３２】
張力調整部２０は、電線ガイド部３０によって４本の電線Ｗを飲み込み部１３１ｇまでガイドし易いように各電線Ｗの張力を調整するものである。
この張力調整部２０は、位置決め台１０上の六箇所に間隔を空けて立設された柱状突起２０ａを有してなる。各電線Ｗは各柱状突起２０ａの外周に屈曲されることによって張力が調整されるようになっている。
【００３３】
電線ガイド部３０は、位置決め台１０にセットされた電線ホルダー１３０の上押さえ部１３１を間にして向かい合うように配置された、第一の電線ガイド部３１および第二の電線ガイド部３２を有してなる。
【００３４】
第一の電線ガイド部３１と第二の電線ガイド部３２とは、同一形状をなし、板状ガイド基部３３と、５つのガイド突出片３４とを有してなる。
板状ガイド基部３３は、電線ホルダー１３０の上押さえ部１３１の近傍かつ４本の電線Ｗの並び方向に沿って配置される板状部分である。
【００３５】
５つのガイド突出片３４は、板状ガイド基部３３の上縁面３３ａから突起され、かつ根元３４ａ周辺が４本の電線Ｗの並び方向に直交する方向から視て各電線保持突起１３１ｅに重なるように並んで突出されてなる。
【００３６】
また、各ガイド突出片３４は、根元３４ａが飲み込み部１３１ｇに比して下方位置されるように形成され、かつ隣のガイド突出片３４との間隔が根元３４ａでの間隔に比して上端部３４ｂでの間隔が拡大されるように、かつ上端部３４ｂが電線保持突起１３１ｅの突出上端部１３１ｆに比して上方になるように延在されてなる。
【００３７】
このような電線ガイド部３０によって、各電線Ｗが電線ホルダー１３０にセットされる場合、各電線Ｗは、第一の電線ガイド部３１および第二の電線ガイド部３２それぞれの隣り合うガイド突出片３４の間に挿入され、第一の電線ガイド部３１および第二の電線ガイド部３２のガイド突出片３４によって飲み込み部１３１ｇまでガイドされるようになっている。
【００３８】
次に、図１１−図１３を用いて４本の電線Ｗを電線ホルダー１３０にセットする手順を説明する。図１１−図１３は、４本の電線Ｗを電線ホルダー１３０にセットする手順を示した図である。
まず、作業者は、電線ホルダー１３０を位置決め台１０にセットする（図１１（ａ），（ｂ）参照）。これにより電線ホルダー１３０の上押さえ部１３１が飲み込み部１３１ｇに対して上方から各電線Ｗのセット可能な状態で第一の電線ガイド部３１と第二の電線ガイド部３２とのの間に固定される。
【００３９】
その後、作業者は、４本の電線Ｗを各柱状突起２０ａに引き回し、各電線Ｗを第一の電線ガイド部３１および第二の電線ガイド部３２それぞれの隣り合うガイド突出片３４の間に挿入する（図１２（ａ），（ｂ）参照）。ここで、第一の電線ガイド部３１および第二の電線ガイド部３２のそれぞれは、隣のガイド突出片３４との間隔が根元３４ａでの間隔に比して上端部３４ｂでの間隔が拡大されている、すなわち飲み込み部１３１ｆにおける電線保持突起１３１ｅの並び間隔よりもガイド突出片３４の上端部３４ｂの間隔が大きくなっているので、各電線Ｗは隣り合うガイド突出片３４の間に容易に挿入される。また、各ガイド突出片３４の根元３４ａが飲み込み部１３１ｇに比して下方に位置されるように形成されているので、各電線Ｗは、ガイド突出片３４によって各飲み込み部３４までガイドされる。
【００４０】
その後、作業者は、電線ホルダー１３０の下押さえ部１３２を上押さえ部１３１側に折り返すことによって４本の電線Ｗを挟み込む（図１３（ａ），（ｂ）参照）。これによって、４本の電線Ｗを電線ホルダー１３０にセットする作業が完了される。すなわち、４本の電線Ｗの一部が、各電線保持溝１３１ｃ内に嵌め込まれ、上押さえ部１３１の電線取付面１３１ｂに整列保持される。
【００４１】
なお、このように電線ホルダー１３０によって一部が保持された４本の電線Ｗを圧接端子１２１ｂに接続させる場合、図１４に示すように、電線ホルダー１３０をハウジング１４０に組み付ける。図１４は、電線ホルダー１３０によって一部が保持された４本の電線Ｗを圧接端子１２１ｂに接続させる手順を示した図である。
【００４２】
具体的には、作業者は、電線ホルダー１３０の回転軸１３１ａをハウジング１４０の回動支持部１４１ａにセットし（図１４（ａ）参照）、その後、作業者は、電線ホルダー１３０を回転軸１３１ａを中心として回動させ（図１４（ｂ）参照）、電線ホルダー１３０の組み付け完了位置でロック部１４１ｂによってハウジング１４０に固定させる（図１４（ｃ）参照）。これによって、電線ホルダー１３０に保持された各電線Ｗが各圧接端子１２１ｂに圧接される。
【００４３】
本発明の実施例に係る電線セット補助補助冶具１は、複数のガイド突出片３４の各ガイド突出片３４が、根元３４ａが飲み込み部１３１ｇに比して下方に位置されるように形成され、かつ隣のガイド突出片３４との間隔が根元３４ａでの間隔に比して上端部３４ｂでの間隔が拡大されるように、かつ上端部３４ｂが電線保持突起１３１ｅの突出上端部１３１ｆに比して上方になるように延在されてなるので、飲み込み部１３１ｇにおける電線保持突起１３１ｅの並び間隔よりもガイド突出片３４の上端部３４ｂの間隔が大きくなっているので、各電線Ｗは隣り合うガイド突出片３４の間に容易に挿入することができ、各電線Ｗがガイド突出片３４によって飲み込み部１３１ｇまで容易にガイドされ、結果的に複数の電線保持溝１３１ｃが狭ピッチで整列配置された場合であっても、複数の電線Ｗを各電線保持溝１３１ｃへ容易にセットすることができる。
【００４４】
また、本発明の実施例に係る電線セット補助冶具１は、電線ガイド部３０が電線Ｗの延在方向で電線保持部としての上押さえ部１３１を間にして、第一の電線ガイド部３１と第二の電線ガイド部３２とが板状ガイド基部３３が向かい合うように対で設けられるので、各電線Ｗが間隔を空けた２箇所で支持可能とされ、４本の電線Ｗを整列された状態でガイドし易くなり、結果的に電線セット補助冶具１によって上押さえ部１３１に４本の電線Ｗをセットする作業をより容易にすることができる。
【００４５】
また、本発明の実施例に係る電線セット補助冶具１は、上押さえ部１３１と、電線ガイド部３０との位置決め作業が必要ないので、電線セット補助冶具１によって上押さえ部１３１に４本の電線Ｗをセットする作業をより容易にすることができる。
【００４６】
また、本発明の実施例に係る電線セット補助冶具１は、張力調整部２０によって張力が調節された各電線Ｗをガイド突出片３４によって飲み込み部１３１ｇまでガイドすることができ、電線セット補助冶具１によって上押さえ部１３１に４本の電線Ｗをセットする作業をより容易にすることができる。
【００４７】
（変形例１）
次に、図１５を用いて本発明の実施例に係る電線セット補助補助冶具２の変形例１について説明する。図１５は、変形例１の電線セット補助補助冶具２を示した斜視図である。
この変形例１の電線セット補助補助冶具２は、電線ガイド部５０が、位置決め台１０とは別体で設けられ、電線ガイド部５０のみで構成される点で実施例の電線セット補助補助冶具１と異なる。
なお、その他の構成は実施例と同様であり、実施例と同一構成部分には同一符号を付している。
【００４８】
電線ガイド部５０は、第一の電線ガイド部３１と第二の電線ガイド部３２とが一体連結部５１によって一体的に連結されてなる。
【００４９】
このような、電線セット補助補助冶具２は、電線セット補助補助冶具２とは別体の不図示の位置決め台に固定された電線ホルダー１３０の上押さえ部１３１が、第一の電線ガイド部３１と第二の電線ガイド部３２との間に位置するように不図示の位置決め台上に位置決め固定されることによって、実施例と同様に各電線Ｗを飲み込み部１３１ｇまでガイドするようになっている。
【００５０】
この変形例１の電線セット補助補助冶具２は、実施例の電線セット補助補助冶具１と同様に、複数の電線保持溝１３１ｃが狭ピッチで整列配置された場合であっても、４本の電線Ｗを各電線保持溝１３１ｃへ容易にセットすることができる。
【００５１】
（変形例２）
次に、図１６を用いて本発明の実施例に係る電線セット補助冶具１の変形例２について説明する。図１６は、変形例２の電線セット補助冶具３を示した斜視図である。
この変形例２の電線セット補助冶具３は、電線ガイド部６０が、電線ホルダー１３０が位置決め固定される位置決め台とは別体で設けられている点、および第一の電線ガイド部３１あるいは第二の電線ガイド部３２のいずれか一方で構成されている点で実施例の電線セット補助冶具１と異なる。
なお、その他の構成は実施例と同様であり、実施例と同一構成部分には同一符号を付している。
【００５２】
電線ガイド部６０は、例えば、各電線Ｗの端末部分が電線ホルダー１３０に保持されるような場合に用いられる。
【００５３】
この変形例２の電線セット補助冶具３は、実施例の電線セット補助冶具１と同様に複数の電線保持溝１３１ｃが狭ピッチで整列配置された場合であっても、４本の電線Ｗを各電線保持溝１３１ｃへ容易にセットすることができる。
【００５４】
なお、本発明の実施例に係る電線セット補助冶具１，２，３は、電線保持部が電線ホルダー１３０の上押さえ部１３１であるものを例示したが、これに限らず、複数の電線Ｗの一部が電線取付面に整列保持されるように整列配置された複数の電線保持溝と、各電線Ｗが各電線保持溝から外れ難くするため各電線保持溝の溝面の上端の一部が上方に延在されるように突起され、かつ電線Ｗの並び方向に整列配置された複数の電線保持突起とを有してなり、隣合う電線保持突起の突出上端部が各電線Ｗの飲み込み部となるものであれば、その他の電線保持部に用いても構わない。
【００５５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５６】
１，２，３      電線セット補助冶具
１０            位置決め台
１１            電線ホルダーセット部
２０            張力調整部
２０ａ          柱状突起
３０，５０，６０  電線ガイド部
３１            第一の電線ガイド部
３２            第二の電線ガイド部
３３            板状ガイド基部
３３ａ          上縁面
３４            ガイド突出片
３４ａ          根元
３４ｂ          上端部
５１            一体連結部
１００          車両室内照明灯
１１０          レンズ
１２０          照明機能部
１２１          バスバー
１２１ａ        給電端子
１２１ｂ        圧接端子
１２１ｃ        圧接刃
１２２          スイッチ操作部
１２２ａ        スイッチ
１２２ｂ        コンタクト
１２３          バルブ
１３０          電線ホルダー
１３１          上押さえ部
１３１ａ        回転軸
１３１ｂ        電線取付面
１３１ｃ        電線保持溝
１３１ｄ        溝面
１３１ｅ        電線保持突起
１３１ｆ        突出上端部
１３１ｇ        飲み込み部
１３２          下押さえ部
１３２ａ        下押さえ側電線保持溝
１３２ｂ        圧接刃貫通部
１３３          連結部
１４０          ハウジング
１４１          電線ホルダー組み付け部
１４１ａ        回動支持部
１４１ｂ        ロック部
Ｗ              電線
【図１】
2013191344.tif 000003
【図２】
2013191344.tif 000004
【図３】
2013191344.tif 000005
【図４】
2013191344.tif 000006
【図５】
2013191344.tif 000007
【図６】
2013191344.tif 000008
【図７】
2013191344.tif 000009
【図８】
2013191344.tif 000010
【図９】
2013191344.tif 000011
【図１０】
2013191344.tif 000012
【図１１】
2013191344.tif 000013
【図１２】
2013191344.tif 000014
【図１３】
2013191344.tif 000015
【図１４】
2013191344.tif 000016
【図１５】
2013191344.tif 000017
【図１６】
2013191344.tif 000018